(57)【要約】【課題】乗客の救助に際して、救助員にとって操作性の良いチェアリフトの救助装置を提供することを目的とする。【解決手段】伸縮自在な救助ポール１１と、救助ポール１１に連結されて索条３１に掛止するフック１２と、救助ロープ１４を備えてフック１２から吊下される降下装置１３と、救助ロープ１４に取り付けられた救助ベルト１６と、を備え、救助ポール１１とフック１２とを可塑性樹脂で成形された継手２３を介して連結するようにした。【選択図】図１
2020036839.tif 000002
【特許請求の範囲】
【請求項１】
伸縮自在な救助ポールと、該救助ポールに連結されて索条に掛止するフックと、救助ロープを備えて前記フックから吊下される降下装置と、前記救助ロープに取り付けられた救助ベルトと、を備え、前記救助ポールと前記フックとが可塑性樹脂で成形された継手を介して連結されたことを特徴とするチェアリフトの救助装置。
【請求項２】
前記継手は円柱形状であって、該継手の両端部から前記救助ポールと前記フックとを外嵌して連結したことを特徴とする請求項１に記載のチェアリフトの救助装置。
【発明の詳細な説明】
【技術分野】
【０００１】
本発明は、チェアリフトが停電や故障などにより運行不能になった場合に、線路中で停止した搬器から乗客を地上へ下ろすためのチェアリフトの救助装置に関するものである。
【背景技術】
【０００２】
チェアリフトは、椅子式の搬器を索条から吊下し、主には傾斜地において山麓側と山頂側の停留場間を搬器が循環移動して人員の輸送を行う索道輸送設備である。チェアリフトにおいては、地上から離れた高い位置で人員を輸送するため、停電や故障等により設備が停止してこれが長期化する場合には、空中に停止した各搬器から乗客を地上へ降下させ救助する必要がある。従来このような場合の救助装置としては、先端に逆Ｕ字状のフックを有する長尺のポールに降下具を取り付けて、このポールのフックを索条に掛止し、降下具に巻き掛けた救助ロープにより乗客を降下させる救助装置が知られている（例えば、特許文献１参照）。
【０００３】
特許文献１に記載の救助装置は、以下のように構成されている。この救助装置は、救助フックと、このフックに連結する棒体と、フックに吊下する応急降下用具と、この応急降下用具に備えた降下ロープとからなっている。救助フックは、鋼線を逆Ｕ字状に形成されたものであり、一側端部が外向きに屈曲した形状となっており、一方、他端は延長して延長部を形成し、この端部に掛止金具を固着して棒体を連結するようにしている。また、フック延長部の中間部には掛止金具が固着されており、ここへ応急降下用具が吊下される。
【０００４】
以上の構成により、搬器の乗客を降下させる作業は以下のようにして行われる。まず、搬器の下方から救助員は、棒体の基端側を操作して搬器の進行側の索条に棒体の他端側に備えた救助フックを掛止する。このときに応急降下用具に備えた降下ロープの端部が乗客近くに吊下され、この降下ロープの端部に備えた装着ベルトを乗客が体に装着した後、乗客が降下ロープ側へと乗り移る。降下ロープの他端側は、救助員により支持されており、救助員が降下ロープを繰り出すことにより乗客が緩やかに降下する。
【先行技術文献】
【特許文献】
【０００５】
【特許文献１】実開平３−５４４９号公報
【発明の概要】
【発明が解決しようとする課題】
【０００６】
上記のような救助装置は、応急降下用具がある程度の重量を有するものであり、棒体も１０数メートルになるため全体として相当な重量となり、救助員に相応の負担を強いていた。特にフックを索条に掛止するに際しては、重量の集中したフック側を立ち起こして索条に掛止するので、このときの操作性の良さが要求されていた。
【０００７】
本発明は、このような事情に鑑みてなされたものであって、乗客の救助に際して救助員にとって操作性の良いチェアリフトの救助装置を提供することを目的とする。
【課題を解決するための手段】
【０００８】
請求項１の発明は、伸縮自在な救助ポールと、該救助ポールに連結されて索条に掛止するフックと、救助ロープを備えて前記フックから吊下される降下装置と、前記救助ロープに取り付けられた救助ベルトと、を備え、前記救助ポールと前記フックとが可塑性樹脂で成形された継手を介して連結されたことを特徴としている。
【０００９】
また、請求項２の発明は、請求項１に記載のチェアリフトの救助装置において、前記継手は円柱形状であって、該継手の両端部から前記救助ポールと前記フックとを外嵌して連結したことを特徴としている。
【発明の効果】
【００１０】
本発明によれば、フックと救助ポールとは、可塑性樹脂で成形された継手を介して連結されているので、フックを索条に掛止するときにフックの位置が多少ずれていても継手が変形してこれを吸収することができるので、フックを索条に掛止することが容易になり、救助ポールの操作性が向上する。
【図面の簡単な説明】
【００１１】
【図１】救助装置の正面図
【図２】連結部の拡大図
【図３】救助の説明図
【発明を実施するための形態】
【００１２】
以下、本発明の具体的な実施の形態を図面を参照して説明する。図１は、救助装置の正面図である。救助装置１０は、大別して救助ポール１１と、フック１２と、降下装置１３と、救助ベルト１６とからなっている。救助ポール１１は、中空の円筒体を入れ子状に組み合わせ、長手方向に伸縮自在になっており、先端部はフック１２と連結される。
【００１３】
フック１２は、鋼板により略Ｕ字形状に形成されており、救助ポール１１と連結される側はやや長く延出した形状であり、この端部側方には中空円筒形状の連結部材１８が溶着されており、この側方には降下装置１３を吊下するための孔１９が形成されている。一方、反対側端部は外側方向へ屈曲した形状に形成されており、全体としてフック１２の形状は、救助ポール１１に連結されて垂直に立てられた状態において、救助ポール１１に対して斜め下方に開口する形状となっている。また、Ｕ字形状の円弧部内側には、ゴム材で形成された滑り止め２０を嵌着している。
【００１４】
上記したように、フック１２には降下装置１３が吊下される。降下装置１３は、救助ロープ１４を備えており、この救助ロープ１４の移動速度が一定速度以上にならないように構成されている。救助ロープ１４の両端には、カラビナ等の連結器１５を連結し、一方の連結器１５には、救助ベルト１６が連結される。救助ベルト１６は環状の帯体であり、上部には吊下リング２１を備えるとともに、下部には弾力性のあるパット１７を備え、さらに中間部には、二枚の帯体を掛合させるとともに、帯体に沿ってスライドすることにより環状部分の大きさを調整する締め金具２２を備えている。
【００１５】
図２は、救助ポール１１とフック１２との連結部の拡大図である。救助ポール１１とフック１２とは、継手２３を介して連結されている。継手２３は、エーテル系ウレタン等の可塑性樹脂で成形されており、両端はそれぞれ救助ポール１１と連結部材１８の内径に合致する円柱状に形成されており、中間部はそれより大きな径であって救助ポール１１の端部と連結部材１８との間に挟み込まれるようになっている。図に示すように継手２３の両端には、救助ポール１１と連結部材１８とが外嵌され、ボルト２４により継手２３をそれぞれに固着することによって、救助ポール１１と連結部材１８とは可塑性を有して連結されている。
【００１６】
図３は、救助装置１０を用いて行う救助の説明図である。まず、チェアリフトが停止すると救助員３３、３４は、乗客３２が搭乗している搬器３０の下方へ救助装置１０を運び、各器具を図１の状態に組み付ける。つづいて救助員３３、３４は、救助ポール１１を索条３１の高さに適合するように伸長させた後、救助ポール１１を立ち上げて救助ベルト１６が乗客３２の前方になる位置でフック１２を索条３１に掛止する。
【００１７】
次に、搬器３０に着座している乗客３２に救助ロープ１４先端の救助ベルト１６を胸部に装着してもらうとともに、救助ベルト１６が胸部に密着するように締め金具２２を調整してもらう。救助員３４は、乗客３２が救助ベルト１６を装着したことを確認した後、救助ロープ１４を引っ張って救助ロープ１４の弛みを無くし、ゆっくりと座席から腰をずらして離れるように乗客３２へ指示する。この後救助員３４は、救助ロープ１４を緩やかに繰り出して乗客３２を地上へ降下させ救助する。救助終了後、救助員３３、３４は、フック１２を索条３１から取り外し、救助装置１０を次の救助を行う搬器３０の位置まで運搬して同様に乗客３２の救助を行う。
【００１８】
一般的に、上記のような救助方法においては、索条３１の側方から救助ポール１１を斜めに立ち上げてフック１２を索条３１に掛止して救助するのが通常である。このような状況において、本救助装置１０は、フック１２の形状を救助ポール１１に対して斜め下方へ開口するＵ字形状としているので、斜め方向からの作業に際して、フック１２を索条３１に掛止することが容易になり、救助ポール１１の操作性が向上する。また、フック１２と救助ポール１１とは、可塑性材の継手２３を介して連結されているので、フック１２を索条３１に掛止するときにフック１２の位置が多少ずれていても、継手２３が変形してこれを吸収することができるので、上記と同様にフック１２を索条３１に掛止することが容易になり、救助ポール１１の操作性が向上する。
【符号の説明】
【００１９】
１０  救助装置
１１  救助ポール
１２  フック
１３  降下装置
１４  救助ロープ
１５  連結器
１６  救助ベルト
１７  パット
１８  連結部材
１９  孔
２０  滑り止め
２１  吊下リング
２２  締め金具
２３  継手
２４  ボルト
３０  搬器
３１  索条
３２  乗客
３３  救助員
３４  救助員
【図１】
2020036839.tif 000003
【図２】
2020036839.tif 000004
【図３】
2020036839.tif 000005